(57)【要約】【課題】形状が変化する筐体を有する場合でも、アンテナの利得の変化を安定化させて所期の通信品質を維持することが可能な移動無線端末装置を提供する。【解決手段】電圧検出部７１は、バッテリ７０の出力電圧を検出するものであって、この検出した電圧を制御部１００に通知する。温度検出部８０は、バッテリ７０の近傍などに設けられ、サーミスタなどを用いて、当該移動無線端末装置の温度を検出し、この検出した温度を制御部１００に通知する。開閉検出部９０は、当該移動無線端末装置が開いた状態にあるか、閉じた状態にあるかを検出する。そして制御部１００は、筐体を閉じた状態では開いた状態よりもアンテナ特性が劣化することを考慮して、筐体を開いた状態の場合に比べて相対的に送信利得および受信利得を上げるようにしたものである。【選択図】図１
2009141706.tif 000002
【特許請求の範囲】
【請求項１】
第１の形状と、この第１の形状よりも相対的にアンテナの利得が高い第２の形状とに、少なくとも変形できる筐体を有する移動無線端末装置において、
無線信号を設定された利得で増幅して送信する送信手段と、
筐体の形状を検出する形状検出手段と、
この形状検出手段の検出結果に基づいて、前記筐体の形状が前記第１の形状の場合には、予め設定された第１利得を前記送信手段に設定し、一方、前記筐体の形状が前記第２の形状の場合には、前記第１利得よりも低い第２利得を前記送信手段に設定する送信利得制御手段とを具備することを特徴とする移動無線端末装置。
【請求項２】
さらに、外部機器を接続するインタフェース手段と、
このインタフェース手段に外部機器が接続されたことを検出する外部機器検出手段とを備え、
前記送信利得制御手段は、前記筐体の形状が前記第２の形状の場合であっても、前記外部機器検出手段が外部機器の接続を検出した場合には、前記第１利得を前記送信手段に設定することを特徴とする請求項１に記載の移動無線端末装置。
【請求項３】
さらに、温度を検出する温度検出手段を備え、
前記送信利得制御手段は、前記筐体の形状が前記第１の形状の場合であっても、前記温度検出手段が予め設定した閾値以上の温度を検出した場合には、前記第２利得を前記送信手段に設定することを特徴とする請求項１に記載の移動無線端末装置。
【請求項４】
さらに、バッテリの電圧を検出する電圧検出手段を備え、
前記送信利得制御手段は、前記筐体の形状が前記第１の形状の場合であっても、前記電圧検出手段が予め設定した閾値以下の電圧を検出した場合には、前記第２利得を前記送信手段に設定することを特徴とする請求項１に記載の移動無線端末装置。
【請求項５】
さらに、無線信号を設定された利得で増幅して受信する受信手段と、
前記形状検出手段の検出結果に基づいて、前記筐体の形状が前記第２の形状の場合には、予め設定された第３利得を前記受信手段に設定し、一方、前記筐体の形状が前記第１の形状の場合には、前記第３利得よりも高い第４利得を前記受信手段に設定する受信利得制御手段とを備えることを特徴とする請求項１に記載の移動無線端末装置。
【請求項６】
第１の形状と、この第１の形状よりも相対的にアンテナの利得が高い第２の形状とに、少なくとも変形できる筐体を有する移動無線端末装置において、
無線信号を設定された利得で増幅して受信する受信手段と、
筐体の形状を検出する形状検出手段と、
この形状検出手段の検出結果に基づいて、前記筐体の形状が前記第２の形状の場合には、予め設定された第１利得を前記受信手段に設定し、一方、前記筐体の形状が前記第１の形状の場合には、前記第１利得よりも高い第２利得を前記受信手段に設定する受信利得制御手段とを具備することを特徴とする移動無線端末装置。
【請求項７】
さらに、外部機器を接続するインタフェース手段と、
このインタフェース手段に外部機器が接続されたことを検出する外部機器検出手段とを備え、
前記受信利得制御手段は、前記筐体の形状が前記第１の形状の場合であっても、前記外部機器検出手段が外部機器の接続を検出した場合には、前記第１利得を前記受信手段に設定することを特徴とする請求項６に記載の移動無線端末装置。
【請求項８】
さらに、温度を検出する温度検出手段を備え、
前記受信利得制御手段は、前記筐体の形状が前記第１の形状の場合であっても、前記温度検出手段が予め設定した閾値以上の温度を検出した場合には、前記第１利得を前記受信手段に設定することを特徴とする請求項６に記載の移動無線端末装置。
【請求項９】
さらに、バッテリの電圧を検出する電圧検出手段を備え、
前記受信利得制御手段は、前記筐体の形状が前記第１の形状の場合であっても、前記電圧検出手段が予め設定した閾値以下の電圧を検出した場合には、前記第１利得を前記受信手段に設定することを特徴とする請求項６に記載の移動無線端末装置。
【発明の詳細な説明】
【技術分野】
【０００１】
この発明は、例えば携帯電話機などのネットワークに収容される基地局と無線通信する移動無線端末装置に関する。
【背景技術】
【０００２】
近時、携帯電話機などの移動無線端末装置は、クラムシェル型やスライド型など開閉などにより形状が変化するものがある（例えば、特許文献１参照）。このような移動無線端末装置にあっては、内蔵するアンテナに近接する金属物や誘電体が変化するため、形状毎にアンテナの利得が変化するという問題があった。
【特許文献１】特開２００７−０１９８６３公報
【発明の開示】
【発明が解決しようとする課題】
【０００３】
従来の移動無線端末装置では、形状が変化する筐体を有する場合に、アンテナの利得が変化して、所期の通信品質を維持できないという問題があった。  
この発明は上記の問題を解決すべくなされたもので、形状が変化する筐体を有する場合でも、アンテナの利得の変化を安定化させて所期の通信品質を維持することが可能な移動無線端末装置を提供することを目的とする。
【課題を解決するための手段】
【０００４】
上記の目的を達成するために、この発明は、第１の形状と、この第１の形状よりも相対的にアンテナの利得が高い第２の形状とに、少なくとも変形できる筐体を有する移動無線端末装置において、無線信号を設定された利得で増幅して送信する送信手段と、筐体の形状を検出する形状検出手段と、この形状検出手段の検出結果に基づいて、筐体の形状が第１の形状の場合には、予め設定された第１利得を送信手段に設定し、一方、筐体の形状が第２の形状の場合には、第１利得よりも低い第２利得を送信手段に設定する送信利得制御手段とを具備して構成するようにした。
【発明の効果】
【０００５】
以上述べたように、この発明では、筐体の形状の変化に伴ってアンテナの利得が変化する場合に、その変化に応じて送信手段の利得を制御するようにしている。  
したがって、この発明によれば、形状が変化する筐体を有する場合でも、アンテナの利得の変化を安定化させて所期の通信品質を維持することが可能な移動無線端末装置を提供できる。
【発明を実施するための最良の形態】
【０００６】
以下、図面を参照して、この発明の一実施形態について説明する。ここでは、この発明に係わる移動無線端末装置の一例として、携帯電話機を例に挙げて説明する。  
図１は、この発明の一実施形態に係わる移動無線端末装置の構成を示すブロック図である。この移動無線端末装置は、図１に示すように、主な構成要素として、内蔵アンテナ１と、無線通信部１０と、表示部２０と、通話部３０と、操作部４０と、記憶部５０と、外部インタフェース６０と、バッテリ７０と、電圧検出部７１と、温度検出部８０と、開閉検出部９０と、制御部１００とを備え、基地局装置ＢＳおよび移動通信網ＮＷを介して通信する機能を備える。
【０００７】
またこの移動無線端末装置は、折りたたみ式の携帯電話機であって、図２に側面から見た図を示す。この移動無線端末装置は、図２（ａ）に示すように、開いた状態と、図２（ｂ）に示すように、閉じた状態に形状を変化させることが可能な筐体を有する。なお、ここでは、折りたたみ式の携帯電話機を例に挙げて説明するが、折りたたみ式に限らず、スライド式の携帯電話であってもよく、その場合においても、筐体をスライド可動することにより形状が変化する。
【０００８】
無線通信部１０は、制御部１００の指示にしたがって移動通信網ＮＷに収容された基地局装置ＢＳと無線通信を行うものであって、音声データや電子メールデータなどの送受信、Ｗｅｂデータやストリーミングデータなどの受信を行う。なお、内蔵アンテナ１は、無線信号の送受信に用いられ、当該移動無線端末装置の形状を変化（例えば、開閉）させることにより、その利得が変化する位置に搭載されている。  
表示部２０は、制御部１００の制御により、画像（静止画像および動画像）や文字情報などを表示して、視覚的にユーザに情報を伝達するものである。
【０００９】
通話部３０は、スピーカ３１やマイクロホン３２と接続され、マイクロホン３２を通じて入力されたユーザの音声を音声データに変換して制御部１００に出力したり、通話相手などから受信した音声データを復号してスピーカ３１から出力するものである。  
操作部４０は、複数のキースイッチなどを備え、これを通じてユーザから指示を受け付けるものである。
【００１０】
記憶部５０は、制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたストリーミングデータなどを記憶するものである。
【００１１】
外部インタフェース６０は、例えばハンズフリーキットや外部アンテナをはじめとする種々の外部機器を接続するためのインタフェースである。  
バッテリ７０は、例えばリチウムイオンなどを用いた二次電池で、図示しない充電回路を通じて供給される電力を蓄積し、この蓄積した電力を当該移動無線端末装置の各部に動作用の電力として供給する。
【００１２】
電圧検出部７１は、バッテリ７０の出力電圧を検出するものであって、この検出した電圧を制御部１００に通知する。  
温度検出部８０は、バッテリ７０の近傍などに設けられ、サーミスタなどを用いて、当該移動無線端末装置の温度を検出し、この検出した温度を制御部１００に通知する。
【００１３】
開閉検出部９０は、当該移動無線端末装置が開いた状態にあるか、閉じた状態にあるかを検出し、この検出結果を制御部１００に通知する。すなわち、第１図（ｂ）のように閉じた状態にあるのか、それ以外の状態、例えば第１図（ａ）に示すように、完全に開いた状態（あるいは、少しでも開いた状態）にあるのかを検出する。
【００１４】
制御部１００は、マイクロプロセッサを備え、記憶部５０が記憶する制御プログラムや制御データにしたがって動作し、当該移動無線端末装置の各部を統括して制御し、音声通信やデータ通信を実現するものである。また制御部１００は、記憶部５０が記憶するアプリケーションソフトウェアにしたがって動作し、電子メールの送受信や、Ｗｅｂブラウジング、ダウンロードしたストリーミングデータに基づいて動画像を表示部２０に表示する通信制御機能を備える。
【００１５】
また制御部１００は、ハンズフリーキットなどの外部アンテナを接続可能な機器が外部インタフェース６０に接続されると、これを検出し、内蔵アンテナ１に代わって、上記外部インタフェース６０および外部アンテナを利用した無線通信を行う。すなわち、外部アンテナにより基地局装置ＢＳから受信した無線信号を受信信号として無線通信部１０に出力し、また無線通信部１０で生成した無線送信信号を外部インタフェース６０を通じて外部アンテナに出力する。
【００１６】
さらに制御部１００は、電圧検出部７１、温度検出部８０および開閉検出部９０の検出結果に応じて、無線通信部１０が備える送信アンプおよび受信アンプの利得を制御する機能を備える。なお、送信アンプとは、基地局装置ＢＳに向けて送信する無線信号の送信電力を増幅するものである。また受信アンプは、基地局装置ＢＳから受信した無線信号を増幅するものである。
【００１７】
次に、上記構成の移動無線端末装置の動作について説明する。以下の説明では特に、筐体の開閉を含む移動無線端末装置の状態に応じて、無線通信部１０の送信アンプおよび受信アンプを制御する利得制御処理について説明する。図３は、送信利得制御を示すフローチャートであり、また図４は、受信利得制御を示すフローチャートであって、これらの処理は、それぞれ制御部１００が記憶部５０に記憶される制御プログラムや制御データに基づいて動作することにより実現され、またそれぞれ当該移動無線端末装置の電源が投入されている間、繰り返し実行される。
【００１８】
まず、図３を参照して送信利得制御について説明すると、ステップ３ａにおいて制御部１００は、開閉検出部９０の検出結果に基づいて、当該移動無線端末装置の形状が閉じた状態にあるか否かを判定する。ここで、当該移動無線端末装置の形状が閉じた状態にあると判定した場合には、ステップ３ｃに移行し、一方、閉じた状態にない（少しでも開いた状態）場合には、ステップ３ｂに移行する。
【００１９】
ステップ３ｂにおいて制御部１００は、外部インタフェース６０にハンズフリーキットなどの外部アンテナを接続可能な外部機器が接続されているか否かを判定する。ここで、上記外部機器が接続されている場合には、ステップ３ｃに移行し、一方、上記外部機器が接続されていない場合には、ステップ３ｆに移行する。
【００２０】
ステップ３ｃにおいて制御部１００は、温度検出部８０の検出結果に基づいて、当該移動無線端末装置に予め設定した環境変化が生じた、すなわち温度検出部８０が検出した温度が予め設定した温度閾値を超えたか否かを判定する。ここで温度検出部８０が検出した温度が予め設定した温度閾値を超えた場合には、ステップ３ｆに移行し、一方、温度検出部８０が検出した温度が予め設定した温度閾値を超えない場合には、ステップ３ｄに移行する。
【００２１】
ステップ３ｄにおいて制御部１００は、電圧検出部７１の検出結果に基づいて、バッテリ７０が蓄積する電力が予め設定した電力閾値以下になったか否かを判定する。ここでバッテリ７０が蓄積する電力が予め設定した電力閾値以下になった場合には、ステップ３ｆに移行し、一方、バッテリ７０が蓄積する電力が予め設定した電力閾値以下になっていない場合には、ステップ３ｅに移行する。
【００２２】
ステップ３ｅにおいて制御部１００は、無線通信部１０の送信アンプに対して、予め設定した通常の利得Ｇｔ１を設定し、当該処理を終了する。
【００２３】
ステップ３ｆにおいて制御部１００は、無線通信部１０の送信アンプに対して、予め設定した利得Ｇｔ２（＜Ｇｔ１）を設定し、当該処理を終了する。
【００２４】
次に、図４を参照して、受信利得制御について説明する。ステップ４ａにおいて制御部１００は、開閉検出部９０の検出結果に基づいて、当該移動無線端末装置の形状が閉じた状態にあるか否かを判定する。ここで、当該移動無線端末装置の形状が閉じた状態にあると判定した場合には、ステップ４ｂに移行し、一方、閉じた状態にない（少しでも開いた状態）場合には、ステップ４ｆに移行する。
【００２５】
ステップ４ｂにおいて制御部１００は、外部インタフェース６０にハンズフリーキットなどの外部アンテナを接続可能な外部機器が接続されているか否かを判定する。ここで、上記外部機器が接続されている場合には、ステップ４ｆに移行し、一方、上記外部機器が接続されていない場合には、ステップ４ｃに移行する。
【００２６】
ステップ４ｃにおいて制御部１００は、温度検出部８０の検出結果に基づいて、当該移動無線端末装置に予め設定した環境変化が生じた、すなわち温度検出部８０が検出した温度が予め設定した温度閾値を超えたか否かを判定する。ここで温度検出部８０が検出した温度が予め設定した温度閾値を超えた場合には、ステップ４ｆに移行し、一方、温度検出部８０が検出した温度が予め設定した温度閾値を超えない場合には、ステップ４ｄに移行する。
【００２７】
ステップ４ｄにおいて制御部１００は、電圧検出部７１の検出結果に基づいて、バッテリ７０が蓄積する電力が予め設定した電力閾値以下になったか否かを判定する。ここでバッテリ７０が蓄積する電力が予め設定した電力閾値以下になった場合には、ステップ４ｆに移行し、一方、バッテリ７０が蓄積する電力が予め設定した電力閾値以下になっていない場合には、ステップ４ｅに移行する。
【００２８】
ステップ４ｅにおいて制御部１００は、無線通信部１０の受信アンプに対して、予め設定した通常の利得Ｇｒ１よりも高いＧｒ２（＞Ｇｒ１）を設定し、当該処理を終了する。  ステップ４ｆにおいて制御部１００は、無線通信部１０の受信アンプに対して、予め設定した通常の利得Ｇｒ１を設定し、当該処理を終了する。
【００２９】
以上のように、上記構成の移動無線端末装置では、筐体を閉じた状態では開いた状態よりもアンテナ特性が劣化することを考慮して、筐体を開いた状態の場合に比べて相対的に送信利得および受信利得を上げるようにしている。  
したがって、上記構成の移動無線端末装置によれば、形状が変化する筐体を有する場合でも、アンテナの利得の変化を安定化させて所期の通信品質を維持することができる。
【００３０】
また上記構成の移動無線端末装置では、筐体を閉じた状態の場合には、筐体を開いた状態（通常の受信利得）よりも受信利得を上げ、一方、筐体を開いた状態の場合には、筐体を閉じた状態（通常の送信利得）よりも送信利得を下げるようにして、形状の変化に伴うアンテナ利得の変化を安定化させるようにしている。
【００３１】
このため、筐体を開いた場合に、筐体を閉じた状態よりも送信利得を下げるので、規定のレベルを超えてしまうことが防止でき、また筐体を閉じた場合に、筐体を開いた状態よりも受信利得を上げるので、より確実な着信待ち受けを行うことができる。また送信利得は、図５に示すように、下げる方向の制御であるため、筐体を開いたときの温度上昇を抑制したり、SAR(Specific Absorption Rate)を改善することができる。
【００３２】
また上記移動無線端末装置では、外部アンテナを接続可能な外部機器が外部インタフェース６０に接続される場合には、筐体が開いた状態であっても、送信アンプに通常の利得を設定するようにしているので、筐体の開閉状態によらず、外部アンテナを利用して所定の送信電力で送信することができる。
【００３３】
同様に、外部アンテナを接続可能な外部機器が外部インタフェース６０に接続される場合には、筐体が閉じた状態であっても、受信アンプに通常の利得を設定するようにしているので、筐体の開閉状態によらず、消費電力を増大させることなく所期の感度で受信することができる。
【００３４】
そしてまた上記移動無線端末装置では、筐体が閉じた状態であったり、あるいは上記外部機器が外部インタフェース６０に接続される場合でも、温度検出部８０が検出した温度が予め設定した温度閾値を超えた場合には、送信アンプに通常の利得よりも下げた利得を設定するようにしているので、筐体の開閉状態や外部機器の接続によらず、送信電力を下げて送信することができる。
【００３５】
同様に、筐体が閉じた状態であったり、あるいは上記外部機器が外部インタフェース６０に接続される場合でも、温度検出部８０が検出した温度が予め設定した温度閾値を超えた場合には、受信アンプの利得を通常の利得を設定するようにしているので、筐体の開閉状態や外部機器の接続によらず、通常の利得で受信することができる。
【００３６】
さらにまた上記移動無線端末装置では、筐体が閉じた状態であったり、あるいは上記外部機器が外部インタフェース６０に接続される場合でも、電圧検出部７１が検出したバッテリ７０の電圧に基づいて、バッテリ７０が蓄積する電力が予め設定した電力閾値以下ととなった場合には、送信アンプに通常の利得よりも下げた利得を設定するようにしているので、筐体の開閉状態や外部機器の接続によらず、送信電力を下げて送信することができる。
【００３７】
同様に、筐体が閉じた状態であったり、あるいは上記外部機器が外部インタフェース６０に接続される場合でも、電圧検出部７１が検出したバッテリ７０の電圧に基づいて、バッテリ７０が蓄積する電力が予め設定した電力閾値以下ととなった場合には、受信アンプに通常の利得を設定するようにしているので、筐体の開閉状態や外部機器の接続によらず、通常の利得で受信することができる。
【００３８】
図６に、制御部１００の制御をまとめる。「電源電圧」は電源電圧の状態、「温度補正」は、温度補正を行うか否かのユーザ設定、「開閉」は、筐体の開閉状態、そして「外部ＡＮＴ」は、上記外部機器の接続状態をそれぞれ示しており、これらの条件の組み合わせに応じて、「補正」の欄で示すように、送信アンプの利得制御を行う。
【００３９】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４０】
その一例として例えば、上記実施の形態では、移動無線端末装置の一例として、携帯電話機を例に挙げて説明したが、これに限定されるものではなく、形状が変化して内蔵するアンテナ利得が変化する電子機器のいずれにおいても適用することができる。すなわち、無線ＬＡＮやBluetooth（登録商標）を備えたノート型パーソナルコンピュータやPDA(Personal Digital Assistance)、その他のディジタル情報家電にも適用できる。
【００４１】
また上記実施の形態では、折り畳み式やスライド式など、移動無線端末装置の形状が開閉で変化する場合を例に挙げて説明したがこれに限定されるものではなく、アンテナの利得が変化するように形状が変化する移動無線端末装置であれば、適用できる。  
その他、この発明の要旨を逸脱しない範囲で種々の変形を施しても同様に実施可能であることはいうまでもない。
【図面の簡単な説明】
【００４２】
【図１】この発明に係わる移動無線端末装置の一実施形態の構成を示す回路ブロック図。
【図２】図１に示した移動無線端末装置を側面から見た図。
【図３】図１に示した移動無線端末装置の送信利得制御を説明するフローチャート。
【図４】図１に示した移動無線端末装置の受信利得制御を説明するフローチャート。
【図５】図１に示した移動無線端末装置の利得制御を説明するための図。
【図６】図１に示した移動無線端末装置の利得制御を説明するための図。
【符号の説明】
【００４３】
１…内蔵アンテナ、１０…無線通信部、２０…表示部、３０…通話部、３１…スピーカ、３２…マイクロホン、４０…操作部、５０…記憶部、６０…外部インタフェース、７０…バッテリ、７１…電圧検出部、８０…温度検出部、９０…開閉検出部、１００…制御部、ＢＳ…基地局装置、ＮＷ…移動通信網。
【図１】
2009141706.tif 000003
【図２】
2009141706.tif 000004
【図３】
2009141706.tif 000005
【図４】
2009141706.tif 000006
【図５】
2009141706.tif 000007
【図６】
2009141706.tif 000008